(57)【特許請求の範囲】
【請求項１】
尿を検査する検出部と、前記検出部で検査する尿を採取する採尿手段と、前記採尿手段で採取した尿を吸収体により吸収して定量化する定量化手段と、前記検出部を前記定量化手段の方向へ移動させる駆動手段とを備え、前記定量化手段で定量化した尿を、前記吸収体に当該定量化した尿が含有され、かつ前記吸収体が検出部に接触された状態で、前記検出部に定量供給させるようにしてなる便座装置。
【請求項２】
尿を検査する検出部と、前記検出部で検査する尿を採取する採尿手段と、前記採尿手段で採取した尿を吸収体により吸収して定量化する定量化手段と、定量化した尿が吸収体に含有する前記定量化手段を前記検出部へ移動させる移動手段とを備え、前記移動手段で移動した前記定量化手段の定量化された尿を、前記吸収体に当該定量化した尿が含有され、かつ前記吸収体が検出部に接触された状態で、前記検出部に定量供給させるようにしてなる便座装置。
【発明の詳細な説明】
【０００１】
【発明の属する技術分野】
本発明は便座装置において健康状態を測定するもので、特に尿の成分を正確に測定して健康状態を知らせる便座装置に関するものである。
【０００２】
【従来の技術】
近年、成人病予防、病気の早期発見ための様々な検査が家庭で行わるようになってきた。一方、家庭における温水洗浄便座の普及に伴い、便座装置またはトイレにおいてこの種の健康状態を検出する尿検査装置付きのものが多く提案され、改良が加えられてきた。その中で図６に示す特開平４−１６０３６２号公報に記載されているようなものがあった。
【０００３】
これは尿検査時に試験紙に余分に付着する尿を除去するものの提案であり、図６において１０１は尿検査するための試験紙、１０２は試験紙１０１上に設けてある尿データ検出のための試験片、１０３は試験紙１０１をつかむクランパ、１０４は試験紙１０１を載置して尿データ分析装置に臨ませるテーブル、１０５はテーブル１０４に試験紙１０１を載置するためのガイド、１０６はガイド１０５に沿ってテーブル１０４上に試験紙１０１をのせた後に位置決めをするためのピン、１０７はテーブル１０４上にある試験紙１０１にかかった余分な尿を除去する吸引孔である。
【０００４】
この構成により試験紙１０１に付着した余分の尿を吸引孔１０７を通じて除去するものである。
【０００５】
【発明が解決しようとする課題】
しかしながら、試験紙に付着する余分の尿を除去することはすでに試験紙に尿が多量に付着していることであるから、試験紙に付着している尿の処理、いわゆる残尿処理をしなくてはいけない。そして、付着した尿量により試験紙の発色の度合いが異なってくることがあり、測定時間管理、吸引孔１０７の時間に対する吸引レベルなどにより測定精度に影響を与えるという課題があった。
【０００６】
また、試験紙を手で廃棄する時に、試験紙に大量に尿が付着していると、試験紙全体が濡れてしまい、手が汚れるという課題をがあった。
【０００７】
【課題を解決するための手段】
本発明は上記課題を解決するために、尿を検査する検出部と、前記検出部で検査する尿を採取する採尿手段と、前記採尿手段で採取した尿を吸収体により吸収して定量化する定量化手段と、前記検出部を前記定量化手段の方向へ移動させる駆動手段とを備え、前記定量化手段で定量化した尿を、前記吸収体に当該定量化した尿が含有され、かつ前記吸収体が検出部に接触された状態で、前記検出部に定量供給させるようにしたものである。
【０００８】
上記発明によれば予め吸収体により吸収して定量化した尿を、前記吸収体に含有され、かつ前記吸収体が検出部に接触された状態で、検出部に定量供給させることで検査精度の向上を図ることが出来る。また、検出部の一部分である試薬部分のみに尿を触れさせることも可能となり、他の部分は尿に触れないため検査終了後も検出部を手にとって見る事ができ、また、手で検出部を廃棄することができる。
【０００９】
【発明の実施の形態】
本発明は、尿を検査する検出部と、前記検出部で検査する尿を採取する採尿手段と、前記採尿手段で採取した尿を吸収体により吸収して定量化する定量化手段と、前記検出部を前記定量化手段の方向へ移動させる駆動手段とを備え、前記定量化手段で定量化した尿を、前記吸収体に当該定量化した尿が含有され、かつ前記吸収体が検出部に接触された状態で、前記検出部に定量供給させるようにしたものである。
【００１０】
そして、吸収体により吸収し定量化した尿は検出部の一部分である試薬部分のみに前記吸収体が一定時間、接触された状態で定量接触させるので、他の部分は尿に触れないようにできるものである。
【００１１】
また、尿を検査する検出部と、前記検出部で検査する尿を採取する採尿手段と、前記採尿手段で採取した尿を吸収体により吸収して定量化する定量化手段と、定量化した尿が吸収体に含有する前記定量化手段を前記検出部へ移動させる移動手段とを備え、前記移動手段で移動した前記定量化手段の定量化された尿を、前記吸収体に当該定量化した尿が含有され、かつ前記吸収体が検出部に接触された状態で、前記検出部に定量供給させるようにしたものである。
【００１２】
そして、吸収体により吸収し定量化した尿は検出部の一部分である試薬部分のみに、前記吸収体が一定時間、接触された状態で定量供給させるので、他の部分は尿に触れないようにできるものである。
【００１３】
また、尿を検査する検出部と、検出部で検査する尿を採取する採尿手段と、採尿手段で採取し尿を定量化する定量化手段と、定量化手段で定量化した尿を移動させる移動手段と、移動手段で移動した尿を検出部に接触させるものである。
【００１４】
そして、定量化手段で定量化した尿を検出部のある所に移動して検出部の試薬部分のみに尿が触れ、他の部分は尿に触れないようにしたものである。
【００１５】
以下本発明の一実施例について図を用いて説明する。
【００１６】
（実施例１）
図１、図２は本発明の実施例１の構成を示す概略図である。
【００１７】
図１において１は便器２に設置してある便座装置、３は便座装置１の本体４から突出している桶状の採尿手段、５は採尿手段３で採尿した尿を定量化する定量化手段、６は定量化手段５で定量化した尿を検査する検出部である。
【００１８】
検出部６は尿試薬７を設けた試験紙８と、試験紙８を着脱自在に載置した試験紙台９とからなる。１０は試験紙台９を移動させる駆動手段１０である。駆動手段１０は板バネ１１をモーターで、押し出し、また逆に巻き取るドラム式の巻き取り部１２とローラ等のガイド１３とから構成し、板バネ１１の先端に、検査時に取り付けた検出部６を便座本体４内から、定量化手段５の方向へ向かって移動させるものである。
【００１９】
図１において線ＡＡ'面を矢印Ｂから見た図が図２で、採尿部分の詳細を示している。
図２において採尿手段３は便座本体４の中央部から下方傾斜で突出している。線ＣＣ'は
便器２のセンターラインである。１４は採尿手段３の尿溜り部、１５は尿溜り部１４の底面で、側面１６とにより尿１７をためるようにしてある。１８は採尿手段３の尿溜り部１４に設けてある定量化手段５の尿抽出部で、試験紙対応部１９と一体構成してある。そして、尿抽出部１８は抽出開口部２０を有し、一方、試験紙対応部１９は試験紙開口部２１を有し、これら点線で示すように定量化手段５の内部の空間で連通している。
【００２０】
また、この連通している空間内（図２において定量化手段５の点線内）には吸収体２２が封入してあり、吸収体２２は抽出開口部２０から尿を吸収し、試験紙開口部２１から尿試薬７に滴下或いは接触、付着させるようにそれぞれ、抽出開口部２０と試験紙開口部２１から若干突き出ている。
【００２１】
吸収体２２はスポンジのような一定量の液体を吸収する多孔体や、紙、繊維などのような濡れ性の材料で構成したものを言う。特に紙の場合はトイレで使用するトイレットペーパーを使用することもできる。
【００２２】
採尿手段３から溢れた尿は便器２内の水２３の中に落ちるようにしてある。また、定量化手段５は採尿手段３の側面１６に固定して位置決めしてあり、図２における形状は検出部６が定量化手段５に付着する状態を示している。
【００２３】
次に動作、作用について図１、図２を参照して説明する。採尿手段３で採尿すると尿１７は尿溜り部１４に溜まり、溜まった尿１７の一部は定量化手段５の抽出開口部２０から吸収体２２に吸収され、吸収体２２内の全体に広がる。ここで、尿溜り部１４の容積以上に溜まった尿はあふれて便器１内に落ちる。次に、定量化手段５で定量化した尿を吸収している吸収体２２の突出している試験紙開口部２１に向けて駆動手段１０により板バネ１１がガイド１３に沿って突出してくる。この突出は巻き取り部１２により移動するものである。駆動手段１０により移動してきた検出部６の尿試薬７が定量化手段５の試験紙開口部２１の吸収体２２に接触して、必要量のみ付着する。一定時間接触させた後、再び駆動手段１０により検出部６を定量化手段５から離して、検出部６の変化を測定するために、測定部分がある便座本体４に収納し、尿試薬７の色の変化を光学的手段（図示せず）等で測定するものである。
【００２４】
このようにして尿を尿試薬７に定量接触することにより、余分な尿が尿試薬７に接触せず、安定した色変化が行わせしめ、精度が上げることができる。
【００２５】
また、尿試薬７は採尿時には便座本体４に収納されており、測定時のみ駆動手段１０により定量化手段５の方向に向かって、その近傍に移動してくるため、検出部６全体が濡れず、尿試薬７にのみ尿を接触させることが可能になる。従って検出部６の試験紙８を廃棄するときに、手で試験紙８をもって廃棄する事ができ、手が汚れないという効果を有する。
【００２６】
なお、駆動手段１０を用いず、定量化手段５の近傍に検出部６を設けて、検出部６に定量接触するようにしても良い。この場合検出部６の一部は尿で汚れるが、尿試薬７部分を定量化手段５の試験紙開口部１９に接触させておけば定量接触させることが出来、検出精度の向上が図れる。
【００２７】
また、採尿手段３及び定量化手段５が便器２に廃棄可能な水溶性樹脂や、紙などの水溶性の材料で構成してある場合には採尿手段３の便座本体４部分に、採尿手段３の一端を、着脱可能に取付けた廃棄手段３３（図示せず）で離脱させる事により、便器中に廃棄させる事ができる。このようにすれば検査時に前の検査の人の尿と混ざることがなく、誤った検査をせずに済む。
【００２８】
もちろん定量化手段５のみを廃棄可能な水溶性樹脂にして定量化手段５のみを廃棄しても構わない。この時、検査後または検査前に採尿手段３を洗浄して使用する。
【００２９】
なお、検出部６は図1において試験紙の形で描いてあるが、他の免疫センサや、物理的
な現象を用いて尿中の成分を検出するものでもよく、尿試薬７に相当するところは尿との接触部或いは検知部分にすればよい。尿との接触部とする場合はこの接触部から別のところまで尿を誘導して検知するようにする。
【００３０】
（実施例２）
図３は本発明の実施例２の構成を示す概略図である。また、図４は採尿部分の詳細図である。実施例1における構成と異なるところは定量化手段５を移動する移動手段２４の部
分であり、駆動手段１０で検出部６を移動する代わりに移動手段２４で定量化手段５を移動するようにしてある。２５は移動手段２４のガイド、２６は移動手段２４における定量化手段５を支える板バネである。２７はドラム等の巻き取り部である。
【００３１】
次に動作、作用について図３、図４を参照して説明する。尿を採取し、尿を定量化する方法は実施例１と同様である。
【００３２】
採尿手段３で採尿すると尿１７は尿溜り部１４に溜まり、溜まった尿１７の一部は定量化手段５の抽出開口部２０から吸収体２２に吸収され、吸収体２２内の全体に広がる。ここで、尿溜り部１４の容積以上に溜まった尿はあふれて便器１内に落ちる。次に、定量化手段５を移動手段２４により検出部６のあるところまで移動させる。すなわち、巻き取り部２７により板バネ２６を介して定量化手段５をガイド２５に沿って引き上げる。このようにして移動手段２４により移動してきた定量化手段５の試験紙開口部２１の吸収体２２が検出部６の尿試薬７に接触する。試験紙開口部２１の吸収体２２と尿試薬７が接触して、必要量のみ接触する。一定時間接触させた後、再び移動手段２４により定量化手段５を検出部６から離して、検出部６の変化を測定する。測定は便座本体４にある光学的手段（図示せず）等で行うものである。
【００３３】
このようにして尿を尿試薬７に定量接触することにより、余分な尿が尿試薬７に接触せず、安定した色変化が行わせしめ、精度を上げることができる。
【００３４】
また、尿試薬７は便座本体に収納されており、測定時のみ移動手段２４により定量化手段５が移動してくるため、検出部全体が濡れず、尿試薬７にのみ尿が接触する。従って検出部６の試験紙８を廃棄するときに手で廃棄する事ができ、手が汚れないという効果を有する。
【００３５】
（実施例３）
図５は本発明の実施例３の採尿手段と定量化手段の要部を示す概略図である。実施例２における構成のなかで定量化手段５、移動手段２４の形態のみが異なるものである。
【００３６】
定量化手段５は採尿手段３の支持部２８に定量滴下の孔２９を設け、移動手段２４は採尿手段３で採取された尿を支持部２８に沿って掻き上げる掻きあげ部材３０とで構成してある。掻きあげ部材３０は側面１６に沿って移動できるようにしてあり、また尿溜り部１４に接する部分であって、かつ定量滴下の孔２９に対応する部分以外を切り取って引き上げ部３２と切り欠き部３１を設けてある。なお、掻きあげ部材３０の移動に要する移動手段２４は図示していない。また、切り欠き部３１と引き上げ部３２は支持部２８の底面である尿溜り部１４に沿って移動できる構成としてある。
【００３７】
一方、検出部６の駆動手段１０は設けなくても検出部６に定量滴下することは可能であるが、複数の尿試薬７の変化を測定するために駆動手段１０で検出部を定量滴下の孔２９に対応する位置まで移動させるようにしても良い。
【００３８】
次に動作、作用について図５を参照して説明する。採尿手段３で採尿すると尿は尿溜り部１４に溜り、それ以上受けたの尿は尿溜り部１４から落下して便器２内に落ちる。ここで検出部６に定量滴下するために移動手段２４（図示せず）による掻きあげ部材３０は支持部２８に沿って移動していき、引き上げ部３２に相当する部分の尿が引き上げられ、定量滴下の孔２９に達すると孔２９から尿試薬７に滴下する。この時、切り欠き部３１に対応する部分の尿は引き上げられず、引き上げ部３２で引き上げられている尿もあふれた場合は切り欠き部３１から下方に落ちる。滴下する量はこの定量滴下の孔２９と切り欠き部３１及び引き上げ部３２の寸法バランス、移動手段２４の移動速度に依存している。
【００３９】
このようにして定量化手段５で必要量の尿のみ検出部６の尿試薬７に接触させる。その後、検出部６の変化を測定する測定部にて尿試薬７の色の変化を光学的手段等で測定するものである。
【００４０】
このようにして尿を尿試薬７に定量接触したことにより、余分な尿が検出部６に接触しないため安定した色変化が行われ、精度が上がる。また、尿試薬７にのみ尿が接触するため検出部６全体が濡れず、廃棄するときに手で廃棄する事ができ、手が汚れない。
【００４１】
【発明の効果】
以上のように本発明によれば、吸収体に吸収して予め定量化した尿を、前記吸収体に当該定量化した尿が含有され、かつ前記吸収体が検出部に接触された状態で、前記検出部に定量供給させるので、検出部の試薬部分のみに定量接触させることができ、検出部分のみが尿に触れ、他のケースなどは尿に触れずに済み、精度が向上するという有利な効果を有する。
【図面の簡単な説明】
【図１】  本発明の実施例１における便座装置の概略構成図
【図２】  同装置の実施例１における尿検査部分の詳細概略構成図
【図３】  同装置の実施例２における便座装置の概略構成図
【図４】  同装置の実施例２における尿検査部分の詳細概略構成図
【図５】  同装置の実施例３における尿検査部分の詳細概略図
【図６】  従来の尿検査装置の概略図
【符号の説明】
１  便座装置
３  採尿手段
５  定量化手段
６  検出部
１０  駆動手段
２３  廃棄手段
２４  移動手段
２９  孔
３０  掻きあげ部材
【図１】
0003721657.tif 000002
【図２】
0003721657.tif 000003
【図３】
0003721657.tif 000004
【図４】
0003721657.tif 000005
【図５】
0003721657.tif 000006
【図６】
0003721657.tif 000007